(57)【要約】【課題】複雑な機構や処理を必要とせずに、撮影照明装置からの照明光を被写体に確実に当てて撮影をすることを可能とする。【解決手段】撮像素子１０８により光学像を撮像する。制御マイコン１１３は被写体距離と画角とに基づき、前記撮像した画像における照明装置による照明光の照明中心位置を演算する。表示制御部１１０は、前記演算された照明中心位置を、表示装置で表示する画像上に重畳して表示する。これにより、撮影者は、照明光が画像の画角内のどこに照射されるかを撮影前の画像において知ることができるため、被写体に照明光を当てて撮影することができる。【選択図】図１
2009278280.tif 000002
【特許請求の範囲】
【請求項１】
光学像を撮像する撮像手段と、
撮影の際に被写体に照明光を照射する照明手段と、
前記撮像手段で撮像した画像を表示する表示手段と、
被写体距離と画角とに基づき、前記撮像手段で撮像した画像における前記照明光の照明中心位置を演算する演算手段と、
前記照明中心位置を、前記表示手段で表示する画像に重畳して表示する表示制御手段とを有することを特徴とする撮像装置。
【請求項２】
前記被写体距離を測定する測距手段を更に有することを特徴とする請求項１に記載の撮像装置。
【請求項３】
被写体を認識する認識手段と、
前記認識した被写体の位置が前記照明中心位置と一致していない場合に警告を行う警告手段とを更に有することを特徴とする請求項１又は２に記載の撮像装置。
【請求項４】
前記表示制御手段は、前記被写体距離および画角のうちの少なくともいずれかに応じて、前記照明中心位置の表示態様を変更することを特徴とする請求項１〜３のいずれか１項に記載の撮像装置。
【請求項５】
前記表示制御手段は、前記照明中心位置を示すアイコンの大きさを変更することを特徴とする請求項４に記載の撮像装置。
【請求項６】
光学像を撮像する撮像手段と、
撮影の際に被写体に照明光を照射する照明手段と、
前記撮像手段で撮像した画像を表示する表示手段と、
被写体距離と画角とに基づき、前記撮像手段で撮像した画像における前記照明光の照明中心位置を演算する演算手段と、
前記照明中心位置に基づき、前記撮像手段で撮像した画像をトリミングして前記表示手段に表示する表示制御手段とを有することを特徴とする撮像装置。
【請求項７】
前記被写体距離を測定する測距手段を更に有することを特徴とする請求項６に記載の撮像装置。
【請求項８】
被写体を認識する認識手段と、
前記認識した被写体の位置が前記照明中心位置と一致していない場合に警告を行う警告手段とを更に有することを特徴とする請求項６又は７に記載の撮像装置。
【請求項９】
光学像を撮像する撮像手段と、撮影の際に被写体に照明光を照射する照明手段と、前記撮像手段で撮像した画像を表示する表示手段とを有する撮像装置の制御方法であって、
被写体距離と画角とに基づき、前記撮像手段で撮像した画像における前記照明光の照明中心位置を演算する演算ステップと、
前記照明中心位置を、前記表示手段で表示する画像に重畳して表示する表示制御ステップとを有することを特徴とする撮像装置の制御方法。
【請求項１０】
光学像を撮像する撮像手段と、撮影の際に被写体に照明光を照射する照明手段と、前記撮像手段で撮像した画像を表示する表示手段とを有する撮像装置の制御方法であって、
被写体距離と画角とに基づき、前記撮像手段で撮像した画像における前記照明光の照明中心位置を演算する演算ステップと、
前記照明中心位置に基づき、前記撮像手段で撮像した画像をトリミングして前記表示手段に表示する表示制御ステップとを有することを特徴とする撮像装置の制御方法。
【請求項１１】
光学像を撮像する撮像手段と、撮影の際に被写体に照明光を照射する照明手段と、前記撮像手段で撮像した画像を表示する表示手段とを有する撮像装置の制御をコンピュータに実行させるためのプログラムであって、
被写体距離と画角とに基づき、前記撮像手段で撮像した画像における前記照明光の照明中心位置を演算する演算ステップと、
前記照明中心位置を、前記表示手段で表示する画像に重畳して表示する表示制御ステップとをコンピュータに実行させるためのプログラム。
【請求項１２】
光学像を撮像する撮像手段と、撮影の際に被写体に照明光を照射する照明手段と、前記撮像手段で撮像した画像を表示する表示手段とを有する撮像装置の制御をコンピュータに実行させるためのプログラムであって、
被写体距離と画角とに基づき、前記撮像手段で撮像した画像における前記照明光の照明中心位置を演算する演算ステップと、
前記照明中心位置に基づき、前記撮像手段で撮像した画像をトリミングして前記表示手段に表示する表示制御ステップをコンピュータに実行させるためのプログラム。
【発明の詳細な説明】
【技術分野】
【０００１】
本発明は撮像装置等に関し、より詳しくは撮影照明装置を使用した撮影における補助機能に関するものである。
【背景技術】
【０００２】
通常、ビデオカメラ等の撮像装置においては、暗い環境でも撮影可能となるようにストロボやライト等の撮影照明装置が搭載されている。図１０は、撮影照明装置が搭載された撮像装置の一例としての一般的なビデオカメラを示す図である。
【０００３】
図１０において、１００１は撮影レンズの光軸である撮影光軸、１００２は撮影照明装置からの照明光の光軸である照明光軸、１００３は撮影レンズに入射する撮像光の範囲（撮影範囲）、１００４は照明光の照射範囲を示している。本図に参照されるように、このビデオカメラでは、撮像光軸１００１と照明光軸１００２とがずれて配置されている。
【０００４】
このように撮影光軸と照明光軸とがずれて配置される場合、典型的には平行に配置される場合、撮影光軸と照明光軸は、どの被写体距離においても一定距離で離れることになる。そのため、画像における照明中心位置（照明光軸）は画像の中心から外れた箇所に位置することになる。また、撮影照明装置の前部には散光又は集光させるための照明レンズが取り付けられており、照明レンズから放たれた照明光はビデオカメラから遠ざかるにつれて散光していく。そのため、被写体が遠距離になるにつれて照射範囲は大きくなり、近距離になるにつれて照射範囲は小さくなり、画像における照明中心位置は被写体距離や画角により変化することになる。
【０００５】
図１１、図１２は、撮影レンズの撮影光軸と照明光の照明光軸とが平行に位置するビデオカメラを上方から俯瞰した図である。
【０００６】
図１１を用いて、被写体距離が違う場合の、画像における照明中心位置の違いを説明する。図１１において、１１０１は撮影レンズの撮影光軸、１１０２は照明光の照明光軸である。１１０３、１１０７はそれぞれ被写体距離に応じた撮影範囲であり、１１０４、１１０８はそれぞれ被写体距離に応じた照明光の照射範囲である。また１１０５は撮影の対象となる被写体である。
【０００７】
図１１（ａ）は被写体１１０５がビデオカメラから近距離にある場合、図１１（ｂ）は図１１（ａ）に比べて被写体１１０５が遠距離にある場合を示している。また、図１１（ｃ）は図１１（ａ）に対応する撮像画像を示し、図１１（ｄ）は図１１（ｂ）に対応する撮像画像を示しており、それぞれの画角は同じとする。このような場合、図１１（ｃ）、（ｄ）の照明中心位置１１０６、１１０９に参照されるように、遠距離である場合は、近距離の場合に比べて、照明中心位置が画像の中心に近いところに位置することになる。
【０００８】
次に図１２を用いて、画角が違う場合の、画像における照明中心位置の違いを説明する。図１２において、１２０１は撮影レンズの撮影光軸、１２０２は照明光の照明光軸である。１２０３、１２０７はそれぞれ画角に応じた撮影範囲であり、１２０４、１２０８はそれぞれ照明光の照射範囲である。また１２０５は撮影の対象となる被写体である。
【０００９】
図１２（ａ）は被写体１２０５を比較的狭い画角で撮影する場合、図１２（ｂ）は図１２（ａ）に比べて画角を広角として被写体１１０５を撮影する場合を示している。また、図１２（ｃ）は図１２（ａ）に対応する撮像画像を示し、図１２（ｄ）は図１２（ｂ）に対応する撮像画像を示しており、それぞれ被写体１２０５までの距離は同じとする。このような場合、図１２（ｃ）、（ｄ）の照明中心位置１２０６、１２０９に参照されるように、画角が広角である場合は、狭い場合に比べて、照明中心位置が画像の中心に近いところに位置することになる。
【００１０】
以上のように、画像内における撮影照明装置の照明光の中心位置は被写体距離や画角によって変化する。そのため、撮影者は画像において照明光が当てられる位置を正確にわからないまま撮影を行い、被写体に照明光が当てられていない画像を撮影してしまうという問題があった。
【００１１】
そこで、このような問題を解決するため、撮影レンズの画角に連動して、機械的にストロボの照射角を変化させる手法が提案されている（例えば特許文献１を参照のこと）。また、ストロボ光の偏りを補正するために、画素の輝度補正する手法も提案されている（例えば特許文献２を参照のこと）。
【００１２】
【特許文献１】特開２００５−３２３１４２号公報
【特許文献２】特開平５−１４５８３４号公報
【発明の開示】
【発明が解決しようとする課題】
【００１３】
しかしながら、特許文献１に記載の手法では複雑な機構が生じるため、部品点数増加によるコストアップや機構部の肥大による大型化に繋がる。また、特許文献２に記載の手法では画素毎の露出を補正するため、一画像の中でも部分によって露出が異なるため、複雑な処理が必要である。
【００１４】
本発明は係る実情に鑑みてなされたものであり、複雑な機構や処理を必要とせずに、撮影照明装置からの照明光を被写体に確実に当てることを可能とする撮像装置等の提供を目的とする。
【課題を解決するための手段】
【００１５】
本発明の撮像装置は、光学像を撮像する撮像手段と、撮影の際に被写体に照明光を照射する照明手段と、前記撮像手段で撮像した画像を表示する表示手段と、被写体距離と画角とに基づき、前記撮像手段で撮像した画像における前記照明光の照明中心位置を演算する演算手段と、前記照明中心位置を、前記表示手段で表示する画像に重畳して表示する表示制御手段とを有することを特徴とする。
また、本発明の撮像装置は、光学像を撮像する撮像手段と、撮影の際に被写体に照明光を照射する照明手段と、前記撮像手段で撮像した画像を表示する表示手段と、被写体距離と画角とに基づき、前記撮像手段で撮像した画像における前記照明光の照明中心位置を演算する演算手段と、前記照明中心位置に基づき、前記撮像手段で撮像した画像をトリミングして前記表示手段に表示する表示制御手段とを有することを特徴とする。
また、本発明の撮像装置の制御方法は、光学像を撮像する撮像手段と、撮影の際に被写体に照明光を照射する照明手段と、前記撮像手段で撮像した画像を表示する表示手段とを有する撮像装置の制御方法であって、被写体距離と画角とに基づき、前記撮像手段で撮像した画像における前記照明光の照明中心位置を演算する演算ステップと、前記照明中心位置を、前記表示手段で表示する画像に重畳して表示する表示制御ステップとを有することを特徴とする。
また、本発明の撮像装置の制御方法は、光学像を撮像する撮像手段と、撮影の際に被写体に照明光を照射する照明手段と、前記撮像手段で撮像した画像を表示する表示手段とを有する撮像装置の制御方法であって、被写体距離と画角とに基づき、前記撮像手段で撮像した画像における前記照明光の照明中心位置を演算する演算ステップと、前記照明中心位置に基づき、前記撮像手段で撮像した画像をトリミングして前記表示手段に表示する表示制御ステップとを有することを特徴とする。
また、本発明のプログラムは、光学像を撮像する撮像手段と、撮影の際に被写体に照明光を照射する照明手段と、前記撮像手段で撮像した画像を表示する表示手段とを有する撮像装置の制御をコンピュータに実行させるためのプログラムであって、被写体距離と画角とに基づき、前記撮像手段で撮像した画像における前記照明光の照明中心位置を演算する演算ステップと、前記照明中心位置を、前記表示手段で表示する画像に重畳して表示する表示制御ステップとをコンピュータに実行させるためのプログラムである。
また、本発明のプログラムは、光学像を撮像する撮像手段と、撮影の際に被写体に照明光を照射する照明手段と、前記撮像手段で撮像した画像を表示する表示手段とを有する撮像装置の制御をコンピュータに実行させるためのプログラムであって、被写体距離と画角とに基づき、前記撮像手段で撮像した画像における前記照明光の照明中心位置を演算する演算ステップと、前記照明中心位置に基づき、前記撮像手段で撮像した画像をトリミングして前記表示手段に表示する表示制御ステップをコンピュータに実行させるためのプログラムである。
【発明の効果】
【００１６】
本発明によれば、複雑な機構や処理を必要とせずに、撮影者は照明光が画像の画角内のどこに照射されるかを撮影前の画像において知ることができるため、被写体に照明光を当てた画像を確実に撮影することができる。また、本発明によれば、複雑な機構や処理を必要とせずに、画像において照明光が当たっている被写体を含んだ領域を撮影する画像として自動で決定することができるため、撮影者は照明光が当たった被写体の画像を確実に撮影することができる。
【発明を実施するための最良の形態】
【００１７】
以下、本発明の実施の形態を説明する。
（第１の実施の形態）
図１は、本発明の第１の実施の形態に係る撮像装置の一例としてのビデオカメラ１００の外観を示す図である。図１（ａ）はビデオカメラ１００を前方斜め上方から俯瞰した図であり、図１（ｂ）は後方斜め上方からビデオカメラ１００を俯瞰した図である（撮影レンズの撮影光軸側を前とする）。当該ビデオカメラ１００は、静止画・動画の撮影、記録、再生等の基本的機能を有する。
【００１８】
図１において、１０１は複数枚のレンズを含む撮影レンズである。ビデオカメラ１００では、撮影レンズ１０１の撮影光軸方向の画像を撮影する。１０２はファインダであり、撮影レンズ１０１から入射した光学像をスルー表示画像として見られる電子ファインダとして機能すると共に、記録されている再生画像を表示する表示装置としても機能する。
【００１９】
１０３は動画撮影用のトリガースイッチであり、動画撮影の開始や終了を指示する操作部である。１０４は静止画撮影用のシャッタースイッチであり、静止画撮影の指示を入力する操作部である。シャッタースイッチ１０４は、２段階に押下される構成を有しており、一段目のクリック位置(半押し状態)でオートフォーカス（ＡＦ）機能が動作してピント調整が行われ、更に押し込まれた二段目のクリック位置（全押し状態）で撮影動作が開始される。
【００２０】
１０５は撮影者がビデオカメラ１００本体を把持するためのグリップベルトである。１０６はダイヤル状に構成されたズームスイッチであり、左右に回動させることで、望遠側又は広角側に画角を変更することができる。１０７は撮影を補助するための撮影照明装置（以下、照明装置）であり、動画及び静止画を撮影する際に、被写体を照射する撮影照明として使用される。照明装置１０７による照明光の照射をするか否かは、撮影者が不図示の操作部を用いることで設定できる。
【００２１】
図２は、ビデオカメラ１００のシステム構成を示すブロック図である。図２において、１０８はＣＣＤ等の撮像素子であり、撮影レンズ１０１を介して入射した光を電気的出力信号に変換し、信号処理部１０９に供給する。信号処理部１０９は、撮像素子１０８から供給された出力信号にエンコード処理等の各種画像処理を施し、ビデオ画像や静止画像として表示制御部１１０へ出力する。表示制御部１１０は、ファインダ１０２上等にビデオ画像や静止画像、スルー表示画像等を表示する。
【００２２】
１１３は制御マイコンであり、ビデオカメラ１００における各種制御を行う。制御マイコン１１３は例えば、信号処理部１０９で信号処理された画像を基に、画像のコントラストを判断し、１１１のレンズ駆動部により撮影レンズ１０１を動かすことでオートフォーカス（ＡＦ）を行う。詳細には、ＡＦは、制御マイコン１１３が撮像素子１０８に入射した光学像に基づく画像のコントラストを繰り返し判断し、撮影レンズ１０１のコントラストが最適なところへ撮影レンズ１０１を連続的に移動させて自動的にピントを合わせることで行われる。このようにビデオカメラ１００は、自動的に被写体のピントを合わせることができるＡＦ機能を搭載しているが、ＡＦ機能方式は赤外線や超音波を用いた方式等、どのような手段であっても構わない。
【００２３】
１１２はレンズ位置検出部であり、ＡＦ後の最終的なレンズ位置を検出する。制御マイコン１１３は、レンズ位置検出部１１２からの情報に基づき被写体距離を演算する。なお、ＡＦ機能を用いた被写体距離の測定は、本発明でいう測距手段の一処理例に対応する。
【００２４】
１１４は照明位置データ保管部であり、撮影レンズ１０１と照明装置１０７の配置により決まる、撮像した画像における照明光の光軸の位置（照明中心位置）のデータ（以下、照明中心位置データ）を保管する。１１５は顔認識演算部であり、顔認識に基づき被写体を特定する。例えば顔認識演算部１１５は、顔の輪郭形状、目、鼻、口等の位置により人物の顔を認識し、その位置を特定できるが、人物の顔に限らず、その他の被写体を認識することも可能である。顔認識演算部１１５が人物の顔等の被写体の位置を特定することで、制御マイコン１１３は被写体に自動的にピントを合わせることができる。
【００２５】
以上のように構成されたビデオカメラ１００においては、照明装置１０７による照明光が画像のどこに位置するかの表示する機能（以下、撮影ガイド機能と呼ぶ）を有する。図３は、撮影ガイド機能による表示がなされた表示画像の一例を示す図である。
【００２６】
図３（ａ）において、３０１は画像、３０２は顔認識機能により認識された画像３０１における顔の範囲３０２、３０３は画像３０１における照明中心位置を表す、アイコンで構成された照明マークである。ビデオカメラ１００では、このような照明マーク３０３を、撮影前にファインダ１０２等に表示した画像上に重畳して表示する。このような表示を撮影者が撮影前に確認することで、図３（ｂ）の画像３０４に参照されるように、照明を当てたい被写体に照明マーク３０３を合わせることができ、被写体に照明が照射された所望の画像を撮影することができる。
【００２７】
照明マークの表示は、照明位置データ保管部１１４の照明中心位置データに基づき表示される。図４は、照明中心位置データについて説明する図である。
【００２８】
図４（ａ）において、４０１は画像を示しており、４０２、４０３は画像４０１の画素の位置を管理するための座標軸を示している。また、図４（ｂ）は、被写体距離と画角とに応じた画像における照明中心位置の対応表を示している。ビデオカメラ１００は、このような対応表を照明中心位置データとして保持することで、撮影条件に応じた照明中心位置を画素の座標値として導き出すことができる。即ち、ビデオカメラ１００では、画像の画素の位置を（Ｘ，Ｙ）と定義し、更に撮影条件に応じた照明中心位置データを保持しておくことで、画像における照明中心位置を求め、ファインダ１０２上に表示するようにする。なお、具体的な処理は、制御マイコン１１３が被写体距離及び画角を基に、照明中心位置データから照明中心位置を演算し、表示制御部１１０により照明マークの表示をさせることでなされる。また、表示制御部１１０による表示の際は、ファインダ１０２の解像度に応じて画素を一部間引くことになる。
【００２９】
また、本実施の形態に係るビデオカメラ１００では、ピント合わせに用いる顔認識機能を応用して、被写体の顔の範囲を演算し、顔の中心と画像における照明中心位置が一致していない場合に、警告を出すことができる。
【００３０】
例えば図３（ａ）において、顔認識機能を用いて認識した顔の範囲３０２は、照明マーク３０３と一致しておらず、このまま撮影すると被写体の顔に照明が十分に当たらず撮影されてしまう。そこで、照明マーク３０３を点滅させて、撮影者に警告を出すようにする。そして図３（ｂ）のように、顔の範囲３０２と照明マーク３０３とが一致した場合には、被写体の顔に照明光を当てた状態で撮影できるため、照明マーク３０３を一定の点灯状態となるようにする（点滅状態を解除する）。なお、本処理は、本発明でいう警告手段の一構成例に対応する。
【００３１】
また、被写体距離や画角によって画像に写る照明光の大きさが違うため、例えば図５に参照されるように、距離によって変化する照明光の大きさに応じて照明マークのアイコンの大きさを変えるようにしてもよい（即ち、表示態様の変更を行う）。図５において、図５（ｂ）は、図５（ａ）の画角から望遠側に画角を変更したものであり、この場合、画像に写る照明光の照射範囲は、図５（ａ）の場合に比べて図５（ｂ）の場合のほうが大きくなる。そこで、図５（ａ）に示す照明マーク５０１を、画角変更にあわせて大きくし、図５（ｂ）に示すような照明マーク５０２で表示する。これにより、照明光の照射範囲をわかりやすく示すことができる。
【００３２】
図６は、第１の実施の形態に係るビデオカメラ１００の処理に係るフローチャートであり、具体的には、画像における照明光の照明中心位置を、撮影前に表示するまでの処理に係るものである。なお、以下の説明において、ビデオカメラ１００が行う処理は、基本的に制御マイコン１１３が不図示のＲＯＭからプログラムを読み出して、ＲＡＭ等に展開することで実行される。
【００３３】
まずステップＳ６０１においてビデオカメラ１００に電源が入っている状態で、静止画像の撮影ができる静止画カメラモードが設定されたものとする。
【００３４】
次にステップＳ６０２において撮影者が撮影を指示するシャッタースイッチ１０４を半押し状態としたものとする。
【００３５】
次にステップＳ６０３においてビデオカメラ１００は、ステップＳ６０２での操作を受け、ＡＦ機能動作状態となり、被写体にピントが合うように撮影レンズ１０１を動かす。続いてステップＳ６０４においてビデオカメラ１００は、照明装置１０７による照明光を使用する撮影か否かを判別する。ここで照明光を使用する場合はステップＳ６０５に進み、使用しない場合はステップＳ６０８に進む。なお、照明装置１０７を使用するか否かは撮影者が任意に設定可能である。
【００３６】
ステップＳ６０５においてビデオカメラ１００は、予め設定された所定の照明光を照射できる被写体距離範囲に、ＡＦ機能動作で計算した被写体距離が含まれるか否かを判別する。ここで、所定の範囲内であればステップＳ６０６に進み、所定の範囲内に無ければステップＳ６０８に進む。なお、ここで被写体距離を判別する理由は以下の通りである。即ち、照明光は被写体距離が遠くなるにしたがい、光が届かなくなって画像に写らなくなるため、撮影照明として使用できる近距離撮影に限定して照明マークを表示することが有効であるからである。
【００３７】
ステップＳ６０６においてビデオカメラ１００は、ＡＦ動作機能に基づき計算した被写体距離、画角及び照明中心位置データに基づき、照明位置演算処理を行う。続いてステップＳ６０７においてビデオカメラ１００は、表示制御部１１０によりステップＳ６０６での結果を基に、照明中心位置を表す照明マークを画像に表示する。そして、ステップＳ６０８において撮影者は撮影を行うようにする。
【００３８】
以上、本実施の形態では、照明光が画像の画角内のどこに照射されるかを示す照明マークを、撮影前の画像において表示するようにした。このようにビデオカメラ１００を撮影照射位置の表示可能な構成とすることで、撮影者は、撮影前に照明を当てたい被写体と照明マークとを合わせることができ、撮影時に被写体に照明光を当てた画像を撮影することができる。またビデオカメラ１００は、撮影前の照明マークの表示により撮影者に照明光を当てたい被写体と照明マークとを合わせることを促す構成のため、ビデオカメラ１００において複雑な機構を設けることや、複雑な処理を実行させる必要がない。
【００３９】
なお、本実施の形態では、静止画撮影前のスルー表示の画面上に照明マークを表示するようにしたが、動画像撮影時において照明マークを表示するようにしても構わない。
【００４０】
（第２の実施の形態）
次に本発明の第２の実施の形態を説明する。本実施の形態は、表示又は記録する画像の中心に照明光の照明光軸が位置するように画像のトリミングを行う機能を有する点に特徴を有する。なお、第２の実施の形態に係るビデオカメラは、第１の実施の形態に係るビデオカメラ１００と同様の構成を有し、トリミング機能は制御マイコン１１３が画像処理を行うことで実現できるため、システム構成等についての説明は割愛する。
【００４１】
図７は本実施の形態において表示又は記録する画像の一例を説明するための図である。図７において、７０１は撮像素子１０８が取り込んだ全画素画像、７０２は全画素画像７０１における照明中心位置である。７０３は全画素画像７０１における被写体であり、７０４はトリミング領域である。トリミング領域７０４は、全画素画像７０１における照明中心位置７０２を中心としてトリミングされた所定のサイズの領域であり、ファインダ１０２に表示したり、記録媒体に記録したりするためのトリミング画像である。
【００４２】
トリミングの位置の計算は、制御マイコン１１３が被写体距離と画角とを基に行う。具体的には制御マイコン１１３は、全画素画像７０１のどこに照明光の照明中心位置が位置するかを計算し、計算結果で抽出した該照明中心位置が表示又は記録する画像の中心となるようなトリミングを行う。そして、トリミングした画像を表示制御部１１０によりファインダ１０２等に表示したり、記録媒体に記録を行ったりする。なお、トリミングを行うサイズについては予め所定のサイズを設定しておいたり、操作により設定したりするが、必要に応じて照明光の照射範囲を考慮してもよい。
【００４３】
図８は第２の実施の形態に係るビデオカメラ１００の処理に係るフローチャートであり、具体的には、照明光の照明中心位置が表示する画像の中心に位置するようにトリミングを行う処理に係るものである。以下、当該処理の詳細を説明する。なお、以下の説明において、ビデオカメラ１００が行う処理は、基本的に制御マイコン１１３が不図示のＲＯＭからプログラムを読み出して、ＲＡＭ等に展開することで実行される。
【００４４】
まずステップＳ８０１においてビデオカメラ１００に電源が入っている状態で、動画の撮影ができる動画カメラモードが設定されたものとする。
【００４５】
次にステップＳ８０２においてビデオカメラ１００はＡＦ機能動作状態となり、被写体にピントが合うように撮影レンズ１０１を連続的に動かす。なお、動画カメラモードの場合、ＡＦ機能動作状態において被写体にピントが合った場合、画像が表示制御部１１０によりファインダ１０２に表示される。
【００４６】
次にステップＳ８０３において、ビデオカメラ１００は、照明装置１０７による照明を使用する撮影か否かを判別する。ここで照明を使用する場合はステップＳ８０４に進み、使用しない場合はステップＳ８０７に進む。
【００４７】
ステップＳ８０４においてビデオカメラ１００は、予め設定された所定の照明光を照射できる被写体距離範囲に、ＡＦ機能動作で計算した被写体距離が含まれるか否かを判別する。ここで、所定の範囲内であればステップＳ８０５に進み、所定の範囲内に無ければステップＳ８０７に進む。なお、ここで被写体距離を判別する理由は以下の通りである。即ち、照明光は被写体距離が遠くなるにしたがい、光が届かなくなって画像に写らなくなるため、撮影照明として使用できる近距離撮影時に限定して画像に写る照明中心位置を合わせた画像のトリミングを行うといった使い方が有効であるからである。
【００４８】
ステップＳ８０５においてビデオカメラ１００は、ＡＦ動作機能に基づき計算した被写体距離、画角及び照明中心位置データに基づき、照明位置演算処理を行う。続いてステップＳ８０６においてビデオカメラ１００は、ステップＳ８０５での演算結果を基に、画像における照明中心位置を基準に表示する画像のトリミングを行う。そしてステップＳ８０７においてビデオカメラ１００は、ステップＳ８０６でトリミングした画像を表示制御部１１０により表示する。その後は、撮影者からの指示に応じてトリミングされた画像は記録媒体等に記録される。
【００４９】
以上、本実施の形態では、ＡＦ機能動作での被写体距離の計算結果を基に、画像における照明中心位置を計算し、照明中心位置を基準に表示する画像のトリミング範囲を、画像の画角を変えることなく連続的に変更するようにした。このように画像において照明光が当たっている被写体を含んだ領域を撮影する画像として自動で決定することで、撮影者は照明光が当たった被写体の画像を確実に撮影することができる。また、動画撮影では、撮影中に被写体が動くことにより、被写体距離が変わるため、一般的なビデオカメラは、ＡＦ機能を連続的に動作させて、動くものに対してもピントを合わせながら撮影を行う。本実施の形態では、そのようなＡＦ機能を利用し、画像の画角を変えずにトリミング範囲を連続的に変更するので、装置を複雑化することなく、容易に実現できる。
【００５０】
また、本実施の形態においても、顔認識機能を応用して、被写体の顔の範囲を演算し、顔の中心と画像における照明中心位置とが一致していない場合に警告を出すことができる。なお、本処理は、本発明でいう警告手段の一構成例に対応する。
【００５１】
また、図９はトリミングする領域を撮影者が設定した場合の表示画像の一例を説明するための図である。図９において、９０１は取り込まれる全画素画像、９０２は全画素画像９０１における照明中心位置である。９０３は全画素画像９０１における被写体であり、９０４はトリミング領域である。この例においては、縦長画像の撮影において、トリミング範囲をＸ方向は中心位置でＹ方向は上から３分の１の位置に画像における照明中心位置が合うように撮影者によって設定された例である。このように、指定した位置へ画像における照明中心位置を合わせて画像のトリミングを行うこともできる。
【００５２】
また、本実施の形態では、動画撮影において、表示又は記録する画像の中心に照明光の照明光軸が位置するように画像のトリミングを行うことを説明したが、静止画撮影においてもトリミングを行うようにしてもよい。この場合においても照明光が当たった被写体の画像を撮影することができ、また画像の記録容量の削減をすることもできる。
【００５３】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００５４】
この場合、記憶媒体から読み出されたプログラムコード自体が上述した実施形態の機能を実現することになり、プログラムコード自体及びそのプログラムコードを記憶した記憶媒体は本発明を構成することになる。
【００５５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５６】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００５７】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００５８】
【図１】本発明の実施の形態に係るビデオカメラの外観図である。
【図２】本発明の実施の形態に係るビデオカメラのシステム構成を示すブロック図である。
【図３】本発明の第１の実施の形態に係るビデオカメラにおいて表示する表示画像及び照明マークを示す図である。
【図４】本発明の実施の形態に係るビデオカメラが保持する照明中心位置データを説明する図である。
【図５】本発明の第１の実施の形態に係るビデオカメラにおいて表示する表示画像及び照明マークを示す図である。
【図６】本発明の第１の実施の形態に係るビデオカメラによる処理を説明するフローチャートである。
【図７】本発明の第２の実施の形態に係るビデオカメラにおいて表示するトリミング画像を説明する図である。
【図８】本発明の第２の実施の形態に係るビデオカメラによる処理を説明するフローチャートである。
【図９】本発明の第２の実施の形態に係るビデオカメラにおいて表示するトリミング画像を説明する図である。
【図１０】一般的なビデオカメラの撮影レンズに入射する撮像光の範囲、及び照明光の照射範囲を示す図である。
【図１１】一般的なビデオカメラにおける、被写体距離の違いにより生じる画像における照明中心位置の違いを説明する図である。
【図１２】一般的なビデオカメラにおける、画角が違いにより生じる画像における照明中心位置の違いを説明する図である。
【符号の説明】
【００５９】
１００  ビデオカメラ
１０１  撮影レンズ
１０２  ファインダ
１０３  トリガースイッチ
１０４  シャッタースイッチ
１０５  グリップベルト
１０６  ズームスイッチ
１０７  照明装置
１０８  撮像素子
１０９  信号処理部
１１０  表示制御部
１１１  レンズ駆動部
１１２  レンズ位置検出部
１１３  制御マイコン
１１４  照明位置データ保管部
１１５  顔認識演算部
【図１】
2009278280.tif 000003
【図２】
2009278280.tif 000004
【図３】
2009278280.tif 000005
【図４】
2009278280.tif 000006
【図５】
2009278280.tif 000007
【図６】
2009278280.tif 000008
【図７】
2009278280.tif 000009
【図８】
2009278280.tif 000010
【図９】
2009278280.tif 000011
【図１０】
2009278280.tif 000012
【図１１】
2009278280.tif 000013
【図１２】
2009278280.tif 000014